(57)【要約】【課題】機械式設計のみで構成されており、調理用ポットに収容された水が加熱されて一定温度に到逹すると、自動的に電力消費量を最小化し、加熱温度を効率的に維持することができる調理用ポットの制御装置を提供する。【解決手段】本発明の調理用ポットの制御装置は、電源を受ける電源連結部１０と、電源連結部１０に連結され第１の設定容量を有する第１のヒーター２１と、第２の設定容量を有する第２のヒーター２２とからなるヒーター部２０と、ヒーター部２０と連結され電流の流れを調節するロッカースイッチ部３０と、前記ヒーター部２０及びロッカースイッチ部３０に連結され第１の設定温度を有する第１のバイメタル４１と第２の設定温度を有する第２のバイメタル４２と第３の設定温度を有する第３のバイメタル４３とからなるバイメタル部４０と、を含んで構成する。【選択図】図２
2015188754.tif 000002
【特許請求の範囲】
【請求項１】
調理用ポットの制御装置において、
電源を受ける電源連結部と、
前記電源連結部に連結され、第１の設定容量を有する第１のヒーターと、第２の設定容量を有する第２のヒーターと、からなるヒーター部と、
前記ヒーター部に連結され、電流の流れを調節するロッカースイッチ部と、
前記ヒーター部及びロッカースイッチ部に連結され、第１の設定温度を有する第１のバイメタルと、第２の設定温度を有する第２のバイメタルと、第３の設定温度を有する第３のバイメタルと、からなるバイメタル部と、
を含んで構成されたことを特徴とする調理用ポットの制御装置。
【請求項２】
前記ロッカースイッチ部の操作で供給される電流が第１のヒーターから第１のバイメタルに供給され、前記第１のバイメタルが第１の設定温度に到逹すると、供給が解除されると同時に、第１のヒーターと第２のヒーターとが連結される第１の操作ステップと、
前記ロッカースイッチ部の操作で供給される電流が第１のヒーターから第２のバイメタルを経て第２のヒーターに供給され、前記第２のバイメタルが第２の設定温度に到逹すると、供給が解除され、電源が遮断される第２の操作ステップと、
前記ロッカースイッチ部の操作で供給される電流が第３のバイメタルから第２のヒーターに供給され、前記第３のバイメタルが第３の設定温度に到逹すると、供給が解除され、電源が遮断される第３の操作ステップと、
を行うことを特徴とする請求項１に記載の調理用ポットの制御装置。
【発明の詳細な説明】
【技術分野】
【０００１】
本発明は、調理用ポットの制御装置に関し、特に、機械式設計のみで構成された調理用ポットの制御装置において、２個のヒーターを用いてエネルギーの消費効率を向上させ得る調理用ポットの制御装置に関する。
【背景技術】
【０００２】
従来の一般的な調理用ポットとしては、コーヒー及びお茶を作るために一定量の水を簡便に沸かす用途からラーメンなどの各種の汁物や煮物を温める用途まで利用することができる多機能の調理用ポットが開発されている。
【０００３】
前記のような従来の調理用ポットを説明すると、一定量の水を収容する空間が形成される容器部（図示せず）と、前記容器部の下端に形成されており、無線または有線で電力が供給されると、作動スイッチの操作でヒーターが発熱されることによって、容器部に収容された水を加熱する制御装置（図示せず）とを含んで構成される。
【０００４】
前記従来の調理用ポットにおける制御装置は、図１に示したように、電源連結装置、温度ヒューズ、バイメタルセンサー、機械式タイマー、ヒーターなどで構成されており、電源連結装置に供給される電力がヒーターに供給され、バイメタルセンサーが設定温度に到逹すると、電力の供給を中断させる大略的な構成を有する。
【０００５】
前記従来の調理用ポットの制御装置は、例示として、１０００Ｗのヒーターに電力が供給される場合、水が加熱された後でバイメタルセンサーが設定温度に到逹すると、電力供給が中断され、水の温度が設定温度以下に下がると、再び１０００Ｗのヒーターに電力が供給される構造を有する。
【０００６】
しかし、前記のような調理用ポットのヒーター発熱構造においては、例示として、１０００Ｗのヒーターで設定温度に到逹した水の温度を維持するために、再び１０００Ｗのヒーターで加熱し続けるので、不要な電力消費が発生するという問題がある。
【０００７】
また、前記のような問題を解決するために、例示として、６００Ｗの低い設定容量を有するヒーターで構成することもできるが、このような低い設定容量を有するヒーターの構成では加熱速度が遅くなるという問題がある。
【０００８】
そして、前記のような全般的な問題を全て解決するためには、ＰＣＢ（Printed Circuit Board）などの電子式制御部を使用すれば簡便だが、前記調理用ポットのような低価型大量生産製品においてＰＣＢのような構成を採用すると、製造コストを上昇させるという問題点がある。
【先行技術文献】
【特許文献】
【０００９】
【特許文献１】大韓民国登録実用新案第２０―０２５００２８号
【発明の概要】
【発明が解決しようとする課題】
【００１０】
本発明は、前記のような問題を解決するために調理用ポットの制御装置が機械式設計のみで構成されており、調理用ポットに収容された水が加熱されて設定温度に到逹すると、自動的に電力消費量を最小化し、加熱温度を効率的に維持させることを目的とする。
【課題を解決するための手段】
【００１１】
前記目的を達成するために、本発明の調理用ポットの制御装置は、電源を受ける電源連結部と、前記電源連結部に連結され第１の設定容量を有する第１のヒーターと、第２の設定容量を有する第２のヒーターとからなるヒーター部と、前記ヒーター部と連結され電流の流れを調節するロッカースイッチ部と、前記ヒーター部及びロッカースイッチ部に連結され第１の設定温度を有する第１のバイメタルと第２の設定温度を有する第２のバイメタルと第３の設定温度を有する第３のバイメタルとからなるバイメタル部と、を含んで構成されたことを特徴とする。
【発明の効果】
【００１２】
前記のような本発明は、調理用ポットの制御装置において、ＰＣＢなどの電子式制御部を備えなくても、機械式設計のみでヒーターの設定容量を自動に調節することによって、不要な電力消費量を減少でき、製造コストを削減できる効果がある。
【００１３】
また、前記のような本発明は、機械式設計のみで構成された制御装置が、保温、発酵、急速加熱のように多様な調理過程に必要な操作ステップを行うことができる効果もある。
【図面の簡単な説明】
【００１４】
【図１】従来の調理用ポットの制御装置のブロック図である。
【図２】本発明に係る調理用ポットの制御装置のブロック図である。
【図３】本発明に係る調理用ポットの制御装置のフローチャートである。
【発明を実施するための形態】
【００１５】
以下、本発明に係る実施例を詳細に説明する。ただし、本発明の説明において、先登録された公知技術及び通常的技術についての具体的な説明は、本発明の要旨を不明瞭にし得るので、省略したり、または簡単な名称などに取り替えて行う。
【００１６】
本発明は、有線または無線で供給される電力を使用してコーヒー及びお茶を作るために一定量の水を簡便に沸かす用途から、ラーメンなどの各種の汁物や煮物を温める用途まで利用することができる調理用ポットの制御装置に関する。
【００１７】
本発明は、図２に示したように、調理用ポットの制御装置において、電源連結部１０、ヒーター部２０、ロッカースイッチ部３０及びバイメタル部４０を含んで構成される。
【００１８】
また、前記構成において、電源連結部に連結され、ヒーターの過熱及び過電流を遮断する温度ヒューズや、前記温度ヒューズに連結され、電源供給時間を調節する機械式タイマーなどの通常的な構成についての説明は除外する。
【００１９】
前記電源連結部１０は、従来の調理用ポットのように移動性の便利な無線方式で容器（図示せず）を据え置き台（図示せず）に載せることにより電流が通じる（電源を受ける）構造である。
【００２０】
前記ヒーター部２０としては、電源連結部１０に連結され、第１の設定容量を有する第１のヒーター２１と、第２の設定容量を有する第２のヒーター２２の２個のヒーターで構成されるものを用いることができる。
【００２１】
前記第１の設定容量と第２の設定容量は、例示として、１０００Ｗの第１のヒーター２１と６００Ｗの第２のヒーター２２のように選択的に使用されるヒーターの電力数値である。
【００２２】
前記バイメタル部４０は、ヒーター部２０とロッカースイッチ部３０に連結され、第１の設定温度を有する第１のバイメタル４１と、第２の設定温度を有する第２のバイメタル４２と、第３の設定温度を有する第３のバイメタル４３とを含んで構成される。
【００２３】
前記第１の設定温度、第２の設定温度及び第３の設定温度は、例示として、９３度の設定温度を有する第１のバイメタル４１、４０度の設定温度を有する第２のバイメタル４２、及び６５度の設定温度を有する第３のバイメタル４３のように選択的に使用されるバイメタルの温度数値である。
【００２４】
前記のように構成された本発明は、以下に説明する第１の操作ステップ、第２の操作ステップ及び第３の操作ステップの合計３つの形態で操作される。
【００２５】
前記第１の操作ステップにおいては、ロッカースイッチ部３０の操作で供給される電流が、第１のヒーター２１からこの第１のヒータ２１に連結される第１のバイメタル４１に供給され、前記第１のバイメタル４１が第１の設定温度に到逹すると、第１のバイメタル４１への電流供給（第１のヒータ２１と第１のバイメタル４１との連結）が解除されると同時に、第１のヒーター２１と第２のヒーター２２とが連結される。
【００２６】
前記第１の操作ステップにおいては、実施例として、ロッカースイッチ部３０の操作で供給される電流が、１０００Ｗの設定容量を有する第１のヒーター２１から９３度の設定温度を有する第１のバイメタル４１に供給され、前記第１のバイメタル４１が９３度に到逹すると、第１のヒーター２１と第１のバイメタル４１との連結が解除される（これにより、第１のバイメタル４１への電流供給も解除される）と同時に、１０００Ｗの設定容量を有する第１のヒーター２１と６００Ｗの設定容量を有する第２のヒーター２２とが連結され、オームの法則により約３７４Ｗの設定容量で加熱が行われる。
【００２７】
前記のように、第１の操作ステップにおいては、実施例として、１０００Ｗの設定容量を有する第１のヒーター２１で急速に水を加熱し、第１のバイメタル４１が９３度に到逹すると、連結が解除されると同時に、第１のヒーター２１と６００Ｗの設定容量を有する第２のヒーター２２とが連結され、オームの法則によって約３７４Ｗの低い設定容量で水を加熱し、加熱された水の温度を維持させることによって電力消費量を減少させることができる。
【００２８】
前記第１の操作ステップにおいては、一般に汁物や煮物を急速に加熱した後、使用者が注視しなくても低い設定容量に転換されるので、湯が沸き溢れたり煮え切って容器の底に焦げ付く現象を緩和させるという効果がある。
【００２９】
前記第２の操作ステップにおいては、ロッカースイッチ部３０の操作で供給される電流が第１のヒーター２１から第２のバイメタル４２を経て第２のヒーター２２に供給され、前記第２のバイメタル４２が第２の設定温度に到逹すると、供給が解除され（第１のヒータ２１と第２のヒータ２２との連結が解除され）、電源が遮断される。
【００３０】
前記第２の操作ステップにおいては、実施例として、ロッカースイッチ部３０の操作で供給される電流が、１０００Ｗの設定容量を有する第１のヒーター２１から４０度の設定温度を有する第２のバイメタル４２を経て６００Ｗの設定容量を有する第２のヒーター２２に供給され、前記第２のバイメタル４２が４０度に到逹すると、供給が解除され（第１のヒータ２１と第２のヒータ２２との連結が解除され）、電源が遮断される。
【００３１】
前記のように、第２の操作ステップにおいては、実施例のように１０００Ｗの設定容量を有する第１のヒーター２１と、６００Ｗの設定容量を有する第２のヒーター２２とを最初から連結し、オームの法則によって約３７４Ｗの低い設定容量で加熱が行われる。
【００３２】
前記第３の操作ステップにおいては、ロッカースイッチ部３０の操作で供給される電流が第３のバイメタル４３から第２のヒーター２２に連結され、前記第３のバイメタル４３が第３の設定温度に到逹すると、連結が解除され、電源が遮断される。
【００３３】
前記第３の操作ステップにおいては、実施例として、ロッカースイッチ部３０の操作で供給される電流が、６０度の温度設定を有する第３のバイメタル４３から６００Ｗの設定容量を有する第２のヒーター２２に連結され、前記第３のバイメタル４３が６０度に到逹すると、連結が解除され、電源が遮断される。
【００３４】
前記のように、第３の操作ステップにおいては、実施例のように６００Ｗの設定容量を有する第２のヒーター２２のみを使用して加熱が行われる。
【００３５】
以上、本発明を説明するために前記のように例示したが、該当技術分野で熟練した当業者であれば、本発明の実施例に記載した思想及び領域から逸脱しない範囲内で多様な修正及び変更が可能であろう。そして、本発明で提示した図面は、例示図であって、特徴を浮き彫りにするために図法に合わない場合もあり、便宜上、要旨を不明瞭にし得る部分は削除した。
【符号の説明】
【００３６】
１０：電源連結部、２０：ヒーター部、２１：第１のヒーター、２２：第２のヒーター、３０：ロッカースイッチ部、４０：バイメタル部、４１：第１のバイメタル、４２：第２のバイメタル、４３：第３のバイメタル。
【図１】
2015188754.tif 000003
【図２】
2015188754.tif 000004
【図３】
2015188754.tif 000005
【手続補正書】
【提出日】平成27年6月22日(2015.6.22)
【手続補正１】
【補正対象書類名】特許請求の範囲
【補正対象項目名】全文
【補正方法】変更
【補正の内容】
【特許請求の範囲】
【請求項１】
調理用ポットの制御装置において、
電源を受ける電源連結部と、
前記電源連結部に連結され、第１の設定容量を有する第１のヒーターと、第２の設定容量を有する第２のヒーターと、からなるヒーター部と、
前記ヒーター部に連結され、電流の流れを調節するロッカースイッチ部と、
前記ヒーター部及びロッカースイッチ部に連結され、第１の設定温度を有する第１のバイメタルと、第２の設定温度を有する第２のバイメタルと、第３の設定温度を有する第３のバイメタルと、からなるバイメタル部と、
を含み、
前記ロッカースイッチ部の操作で供給される電流が第１のヒーターから第１のバイメタルに供給され、前記第１のバイメタルが第１の設定温度に到逹すると、供給が解除されると同時に、第１のヒーターと第２のヒーターとが連結され、
前記ロッカースイッチ部の操作で供給される電流が第１のヒーターから第２のバイメタルを経て第２のヒーターに供給され、前記第２のバイメタルが第２の設定温度に到逹すると、供給が解除され、電源が遮断され、
前記ロッカースイッチ部の操作で供給される電流が第３のバイメタルから第２のヒーターに供給され、前記第３のバイメタルが第３の設定温度に到逹すると、供給が解除され、電源が遮断されることを特徴とする調理用ポットの制御装置。